(57)【特許請求の範囲】
【請求項１】
室内壁面部に固定され、上部に係止部を有する据付部材と、据付時に上記係止部に室内ユニットの背面部上部を係止させた状態で、上記据付部材と上記室内ユニットとの間に介装され、上記室内ユニットを傾斜保持する保持部材を備えた壁掛け形空気調和機の傾斜保持装置において、上記据付部材及び上記室内ユニット背面部の何れか一方に上記保持部材の移動を制限する保持部を設けてなり、上記保持部材は空気調和機の輸送時の梱包に用いる梱包材からなる基材を加工して形成し得るように上記梱包材に予め表示してなることを特徴とする壁掛け型空気調和機の傾斜保持装置。
【請求項２】
保持部材は梱包材である基材を、折り曲げて蛇腹状もしくは多角形状、または巻回して円柱状に形成してなることを特徴とする請求項１記載の壁掛け型空気調和機の傾斜保持装置。
【請求項３】
据付部材に設けられた保持部は据付部材の所定部を切り起こし形成してなることを特徴とする請求項１または請求項２に記載の壁掛け型空気調和機の傾斜保持装置。
【請求項４】
室内ユニットの背面部に設けられた保持部は室内ユニットの背面部を、保持部材の他端部を収納し得る形状に成形してなることを特徴とする請求項１ないし請求項３の何れかに記載の壁掛け型空気調和機の傾斜保持装置。
【発明の詳細な説明】
【０００１】
【発明の属する技術分野】
この発明は、壁掛け形空気調和機に関し、特に室内ユニット据付け時の作業性を向上した壁掛け形空気調和機及びその傾斜保持装置に関するものである。
【０００２】
【従来の技術】
図１０は例えば特開平４−２０７２５号公報に記載された従来の壁掛け形空気調和機の室内ユニットを据付けるときの状態を示す部分断面図であり、図中１は室内ユニットであり、据付時における背面部上部に係止具１ａを備えている。２は壁体、２ａは上記室内ユニット１を取り付ける室内壁面部、３はこの壁面部２ａの所望位置に取り付けられ、上部に係止部３ａを有する据付部材、４は傾斜面４ａを有し、上記室内ユニット１の据付時に該室内ユニット１を傾斜保持する保持部材である。なお、５は壁体２の貫通孔２ｂに挿通され、上記室内ユニット１と、図示しない室外ユニットとを接続する冷媒配管、及び図示を省略しているドレーン配管などを含む挿通部材である。
【０００３】
図１１は上記室内ユニット１の梱包構成の例を示す斜視図、図１２は保持部材を得る場合の例を説明する斜視図であり、６は発泡スチロールからなる緩衝部材、７はこの緩衝部材６を介して室内ユニット１を包囲する段ボールなどからなる梱包材である。
【０００４】
次に動作について説明する。壁掛け形空気調和機の室内ユニット１を据付けるに際しては、据付部材３を壁面部２ａに取り付けた後、室内ユニット１の背面部上部に設けられた係止具１ａを据付部材３上部の係止部３ａに係止し、室内ユニット１の下部を壁面部２ａから離間させた状態で据付け部材３と室内ユニット１の背面部との間に保持部材４を介装して室内ユニット１を傾斜保持し、室内ユニット１の背面下部に配管５と室内ユニット１との接続等を行うための作業空間が確保される。
【０００５】
上記保持部材４は室内ユニット１の取り付け後は不要となるものであり、同じく開梱後は不要となる発泡スチロ−ルからなる緩衝部材６の一部に予め図示しない切り欠きを設けてブロック状に切り取り可能な構造とし、据付けの現場で開梱後、図１２に示すように切り取って用いられる。また、図示を省略するが、梱包材７の一部を切り取った後、折り曲げて箱状に加工し、ビニールテープで止めて保持部材を構成する例も上記公開公報に示されている。
【０００６】
【発明が解決しようとする課題】
従来の壁掛け形空気調和機は、傾斜保持部材として発泡スチロ−ルからなる緩衝材を使用する場合には、廃却の際に費用が発生してしまい、また環境上の問題から発泡スチロ−ルをなくす方向になってきているため、使用が出来なくなっているという課題があった。また、段ボールからなる梱包材を箱状に折り曲げ、ビニールテープで固定して用いる場合は、強度が不足する場合があった。また、保持部材は傾斜保持された室内ユニット１の重力による壁方向への押圧力のみによって固定していたので、据付け作業中の不用意な力によって落下する恐れもあるという課題があった。
【０００７】
この発明は、上記のような従来技術の課題を解消するためになされたもので、発泡スチロ−ルの使用を不要とし、据付け作業中に室内ユニットを安全に傾斜保持することが出来る壁掛け形空気調和機、及びその傾斜保持装置を得ることを目的とするものである。
【０００８】
【０００９】
【００１０】
【００１１】
【課題を解決するための手段】
この発明に係る壁掛け形空気調和機においては、据付部材に保持部材の一端部の移動を制限する保持部を設けるとともに、室内ユニット背面部の上記保持部に略対向する位置に上記保持部材の他端部の移動を制限する保持部を設け、上記保持部材は空気調和機の輸送時の梱包に用いる梱包材からなる基材を加工して形成し得るように上記梱包材に予め表示してなるものである。
【００１２】
さらに、保持部材は梱包材である基材を、折り曲げて蛇腹状もしくは多角形に形成し、または巻回円柱状に形成したものである。
【００１３】
さらに据付部材の所定部を切り起こして保持部を形成したものである。
【００１４】
また、室内ユニットの背面部を、保持部材の他端部を収納し得る形状に成形し、保持部を形成したものである。
【００１５】
【発明の実施の形態】
実施の形態１．
図１〜図７はこの発明の実施の形態１である壁掛け形空気調和機を説明するもので、以下これらの図について説明する。図１において、１は室内ユニット、２は壁体、２ａはこの壁体２の室内壁面部、３はこの室内壁面部２ａと上記室内ユニット１との間に介在される据付部材であり、室内壁面部２ａに取り付け固定される。３ａは上記据付部材３の上部に設けられた係止部、１ａは室内ユニット１の背面部上部に形成された係止具である。３ｂは上記据付部材３に設けられた第１の保持部であり、この例では図２に示すように据付部材３の略中央部近傍を室内ユニット１の方向に切り起こし形成されている。１ｂは室内ユニット１背面部における上記第１の保持部３ｂに略対向する位置に設けられた第２の保持部であり、この例では図３に示すように室内ユニット１背面部に形成された溝状の凹部よりなっている。破線４１はこれら第１の保持部３ｂと、第２の保持部１ｂとの間に介装される保持部材の配設位置を示す。
【００１６】
図４〜図７は上記保持部材を据付現場で成形加工する場合の例を示し、図４において、７は室内ユニット１を包み込む外装段ボ−ルからなる梱包材、４ｂはこの梱包材の所定部に方形状に予め印刷された保持部材をつくるための基材となる部分である。図５は保持部材の基材４ｂを梱包材７から切り取る状況を示している。図６は、図４及び図５に示す梱包材７の展開図であり、基材４ｂを段ボール７の一部から方形状に切り取ることによって準備される。図７は、梱包材７から切り取られた基材４ｂを折り曲げてジャバラ状の保持部材４に形成する例を示している。
【００１７】
上記のように構成された壁掛け形空気調和機においては、保持部材４は図４から図７に示すように据付現場で開梱後の梱包材７から切り取られ、蛇腹状に折曲形成される。一方、室内ユニット１は従来と同様に図１に示すように壁面部２ａに固定された据付部材３の係止部３ａに係止具１ａを係止させ、室内ユニット１の下端部を壁面部２ａから離間させた状態で、保持部材４の一端部４ｃを据付部材３の第１の係止部３ｂに保持させ、他端部４ｄを室内ユニット１背面部の第２の係止部１ｂに係止させ、室内ユニット１を傾斜保持する。これによって配管接続のための作業空間が確保される。
【００１８】
上記保持部材４は蛇腹状に形成されているため、室内ユニット１の内壁面２ａ方向の荷重を図７の矢印Ａの方向に受けるが、襞を形成する全ての面で荷重を支えるため強度上有利である。また、第１の保持部３ｂが上記保持部材４の一端部４ｃの重力方向及び水平方向の移動を制限し、第２の保持部１ｂが上記保持部材４の他端部４ｄの水平方向及び上方向の移動を制限しているので、据付作業中に室内ユニット１に不用意な力、即ち室内ユニット１の下部を壁面部２ａから離間させる方向の力が加わっても、保持部材４が簡単に落下することはなく、安全に作業を行うことができる。また発泡スチロールなどの緩衝材を使う必要もない。
なお、段ボ−ルは中芯方向に対して平行に折るか垂直に折るかによって、強度が異なるため中芯方向に対して平行に折るのが好ましい。
【００１９】
実施の形態２．
上記実施の形態１においては、据付部材３に第１の保持部３ｂを設け、さらに室内ユニット１の背面部に第２の保持部１ｂを設けたが、必ずしもこれに限定されるものではなく、据付部材３と室内ユニット１の背面部の何れか一方に保持部材４の移動を制限する保持部を設けるように構成した場合であっても、同様の効果が期待できる。
また、保持部１ｂまたは３ｂは保持部材４の移動を厳密に制限する必要はなく、保持部材４の寸法のばらつきを許容し、さらに多少の自由度を持たせるように構成しても差し支えない。
【００２０】
実施の形態３．
上記実施の形態１において、保持部材を形成する基材の梱包材に対する切り取り位置は特に限定されるものではないが、梱包時に用いる図示しないバンドをかける位置を避け、さらに梱包時のコーナー部は変形の恐れがあるので避けることは望ましい。
また、上記梱包材に切り取り形状に沿ってミシン目を入れ、もしくは切り取り形状に沿って糸、紐などの切り取り具を敷設しておくことは、切り取り作業を容易にするので、作業性向上のため望ましい。
【００２１】
実施の形態４．
図８において、梱包材７から切り取られた基材４ｂは三角柱状に折り曲げられ、頂部をビニールテープ８で止めて保持部材４が形成されている。このように構成された保持部材４は、上記実施の形態１と同様に据付部材３と室内ユニット１との間に介装され、第１の保持部３ｂと室内ユニット１の背面に設けられた第２の保持部１ｂとで室内ユニット１を傾斜保持し、据付け作業の空間を確保することが出来る。
この実施の形態３に示す三角柱状の保持部材４は、折曲面相互が固定されているのでジャバラ形状に構成した保持部材よりも保持力が強いという利点がある。
なお、断面形状は特に三角形に限定されるものではなく、多角柱、あるいはそれらの組み合わせでも差し支えない。
【００２２】
実施の形態５．
図９において、外装用の段ボールからなる梱包材７から切り取られた基材４ｂはロ−ル状に巻回され、テ−プ１０で固定して円柱状に形成されている。このように構成された保持部材４は上記実施の形態１と同様に据付部材３と室内ユニット１との間に介装され、第１の保持部３ｂと室内ユニット１の背面に設けられた第２の保持部１ｂとで室内ユニット１を傾斜保持し、据付け作業の空間を確保することが出来る。
【００２３】
この実施の形態５に示す円柱状の保持部材４は、断面が中空でなく密に構成されているので中空状に構成した保持部材よりもさらに荷重に対する保持力が強いという利点がある。
【００２４】
実施の形態６．
上記実施の形態１から５では、据付部材３の第１の保持部３ｂは、据付部材の所定部を切り起こして形成したが、必ずしもこれに限定されるものではなく、保持部材４を係止できる構造であれば差し支えない。
同様に室内ユニット１の背面部に設けた第２の保持部１ｂは凹部としたが、保持部材４を係止できる構造であれば例えば溝状に構成し、あるいは配管作業終了後、室内ユニットを据付部材３に固定する際に支障とならない範囲で係止部を突設させても差し支えない。
また、梱包材７として段ボールを用いる場合を示したが、必ずしも段ボールに限定されるものではない。
さらに、室内ユニットを取り付ける壁面部は、必ずしも壁に限定されるものではなく、ガラス窓部など部屋を仕切る部分であれば据付時、同様の効果が期待できる。
【００２５】
【発明の効果】
この発明は、以上説明したように構成されているため、以下に示すような効果が得られる。
【００２６】
据付部材に保持部材の一端部の移動を制限する第１の保持部を設けるとともに、室内ユニット背面部の上記第１の保持部に略対向する位置に上記保持部材の他端部の移動を制限する第２の保持部を設けたことにより、発泡スチロ−ルの使用を不要とし、据付け作業時に室内ユニットを安全、確実に傾斜保持することが出来る。
【００２７】
第１の保持部を、据付部材の所定部を室内ユニットの方向に切り起こすことによって形成したことにより、第１の保持部を有する据付部材を簡単に得ることができる。
【００２８】
第２の保持部は室内ユニットの背面部を、保持部材の他端部を収納し得る形状に成形するようにしたので、背面部に第２の保持部を有する室内ユニットを簡単に得ることができる。
【００２９】
梱包材からなる基材を加工して形成し得るように上記梱包材に予め表示したことにより、梱包材からの切り取り、及び保持部材形成の作業性が向上できる。
【００３０】
梱包材から矩形または方形状に切り取った基材を蛇腹状に折り曲げて保持部材を形成したことにより、切り取り作業及び保持部材の形成が簡単にできる。
【００３１】
梱包材から矩形または方形状に切り取った基材を多角形状に折り曲げて保持部材を形成したことにより、切り取り作業が簡単で荷重に強い保持部材を構成できるので、作業時の信頼性が向上する。
【００３２】
梱包材から矩形または方形状に切り取った基材を円柱状に巻回して保持部材を形成したことにより、切り取り作業が簡単で更に荷重に強い保持部材を構成できるので、作業時の信頼性が一層向上する。
【図面の簡単な説明】
【図１】  本発明の実施の形態１における傾斜保持部材の使用状況を示す部分断面図である。
【図２】  本発明の実施の形態１に用いる据付部材を示す正面図である。
【図３】  本発明の実施の形態１に用いる室内ユニット背面部に設けた第２の保持部を示す斜視図である。
【図４】  本発明の実施の形態１に用いる室内ユニット及び梱包材を示す斜視図である。
【図５】  本発明の実施の形態１に用いる基材を切り取りする部分を示す斜視図である。
【図６】  本発明の実施の形態１に用いる梱包材の展開図である。
【図７】  本発明の実施の形態１に用いる保持部材を蛇腹状に加工する方法を示す図である。
【図８】  本発明の実施の形態３に用いる保持部材を角柱状状に加工する方法を説明する図である。
【図９】  本発明の実施の形態４における保持部材を円柱状に加工する方法を説明する図である。
【図１０】  従来の壁掛け形空気調和機における傾斜保持の例を示す部分断面図である。
【図１１】  従来の他の例になる壁掛け形空気調和機における傾斜保持装置の梱包時の状態を示す斜視図である。
【図１２】  従来の保持部材の例を示す斜視図である。
【符号の説明】
１  室内ユニット
１ｂ  第２の保持部
３  据付部材
３ａ  係止部
３ｂ  第１の保持部
４  保持部材
４ｂ  基材
【図１】
0003829624.tif 000002
【図２】
0003829624.tif 000003
【図３】
0003829624.tif 000004
【図４】
0003829624.tif 000005
【図５】
0003829624.tif 000006
【図６】
0003829624.tif 000007
【図７】
0003829624.tif 000008
【図８】
0003829624.tif 000009
【図９】
0003829624.tif 000010
【図１０】
0003829624.tif 000011
【図１１】
0003829624.tif 000012
【図１２】
0003829624.tif 000013